(57)【要約】【課題】  足載せ部の確実な伸縮動作が行える椅子式マッサージ機を提供する。【解決手段】  座部１１ａの前端において出没可能に連結した支持フレーム体５ａに支持された足載せ部１３ａに脛施療部１３１ａ及び足先施療部１３２ａを設け、座部１１ａと脛施療部１３１ａと足先施療部１３２ａとの各間隔を伸縮機構６ａにより伸縮可能とし、該伸縮機構６ａとして、支持フレーム体５ａを後部部材５１ａと、該後部部材５１ａとスライド可能に連結して脛施療部１３１ａを支持する中間部材５２ａと、該中間部材５２ａとスライド可能に連結して足先施療部１３２ａを支持する前部部材５３ａとから構成し、且つ後部部材５１ａ及び前部部材５３ａにそれぞれ係合レーン６１ａ・６３ａを設けると共にそれら係合レーン６１ａ・６３ａに介設係合しつつ転動可能な転動係合部材６２ａを中間部材５２ａに設けて構成した。【選択図】  図３
2008206719.tif 000002
【特許請求の範囲】
【請求項１】
座部と該座部の前端において出没可能に連結した支持フレーム体に支持された足載せ部とを有し、該足載せ部に人体脚部の脛部を施療するための脛施療部及び人体脚部の足先を施療するための足先施療部を設けると共に、座部と脛施療部と足先施療部との各間隔を伸縮機構により伸縮可能とした椅子式マッサージ機であって、該椅子式マッサージ機は、前記伸縮機構を、前記支持フレーム体を前記座部の前端で軸支された後部部材と、該後部部材とスライド可能に連結して前記脛施療部を支持する中間部材と、該中間部材とスライド可能に連結して前記足先施療部を支持する前部部材とで構成し、且つ、前記後部部材及び前記前部部材にそれぞれ係合レーンを設けると共に、前記中間部材には前記各係合レーンに係合し得るよう介設されて転動可能な転動係合部材を設けてあることを特徴とする椅子式マッサージ機。
【請求項２】
前記係合レーンがラックであり、前記転動係合部材がピニオンである構成にしたことを特徴とする請求項１記載の椅子式マッサージ機。
【請求項３】
前記転動係合部材を前記中間部材に設けられたモータの動力により転動させるものとして構成したことを特徴とする請求項１又は請求項２記載の椅子式マッサージ機。
【請求項４】
前記後部部材に対する中間部材のスライド距離と後部部材に対する前記前部部材のスライド距離との割合を１対２となるよう構成したことを特徴とする請求項１乃至請求項３のいずれか記載の椅子式マッサージ機。
【発明の詳細な説明】
【技術分野】
【０００１】
本発明は、座部の前端において出没可能に設けた足載せ部に、人体脚部の脛部を施療するための脛施療部及び人体脚部の足先を施療するための足先施療部をそれぞれ設けて、座部と脛施療部と足先施療部との各間隔を伸縮機構により伸縮可能とした椅子式マッサージ機に関するものである。
【背景技術】
【０００２】
従来から椅子式マッサージ機は、主として背凭れ部に昇降自在に設けた施療子の動作により被施療者の背中に押圧刺激を与える構成のものとなっており、近年では座部の前方で出没する足載せ部を設けると共に、該足載せ部に施療ローラーまたは施療子、或いはエアバッグ等の膨縮袋を内装して、該足載せ部に載置した被施療者の脚部に施療を施すことができるようにしたものも市場でよく出回っている。
【０００３】
さらに最近では、被施療者の脚部の長さにおける個人差に対応できる機構を足載せ部に設けた技術も開発され、既に開示されている。
【０００４】
例えば、図１０乃至図１２に示すように、座部２の前側にフットレスト４を配した椅子型マッサージ機１が既に開示されているが、該椅子型マッサージ機１のフットレスト４は、被施療者の脹脛を支持する脹脛載せ部材４ａと、被施療者の足底及び踵の後部等を支持する足載せ部材４ｂとを有している。
【０００５】
また、この脹脛載せ部材４ａ及び足載せ部材４ｂには、それぞれ複数の空気袋が設けられていて、該空気袋はポンプ及びバルブ等からなる給排気装置からの給排気によって膨張又は収縮するように構成されている。
【０００６】
そして、これらの構成により、被施療者が着座したときに、該空気袋が膨張及び収縮を繰り返すことができるようになっており、これにより、被施療者の脹脛並びに足底及び踵（かかと）の後部に対して押圧刺激を与えるようにしている。
【０００７】
また、前記フットレスト４の脹脛載せ部材４ａ及び足載せ部材４ｂは、図１２に示すように伸縮機構４ｃに取り付けられており、互いに近接又は離反するように相対移動することが可能となっている。
【０００８】
すなわち、該伸縮機構４ｃは、座部２の前端で回動連結する上部部材４５と、中間部材４６と、下部部材４７とによって主として構成されると共に、３つの菱形が連続したパンタグラフ機構である伸縮腕５１が備えられている。
【０００９】
よって、フットレスト４が伸張する場合、座部２から上部部材４５は離反すると共に該上部部材４５から中間部材４６は離反し、同時に該中間部材４６から下部部材４７も離反するような態様となる。
【００１０】
さらに、被施療者の操作部における操作入力による制御信号に応じてモータ５６を駆動してフットレスト４を伸縮させるようにしており、これにより、足底支持面３７及び踵支持面３８の座面２ｂとの離隔距離が変化されることとなり、被施療者は、操作部によって足底支持面３７を自身の脚の長さに合わせてこの離隔距離を調節することができるものとなる。
【特許文献１】特開２００４−２１５９３８号公報（第１５頁の図１及び図４、第１８頁の図１３）
【発明の開示】
【発明が解決しようとする課題】
【００１１】
ところで、上記のような被施療者の脚部の長さに対応するための伸縮機構を設けた椅子式マッサージ機は、伸縮機構にパンタグラフ機構を採用しており、このパンタグラフ機構は棒状または長板状の各アーム部材と、互いに該各アーム部材が先端において回動可能に連結するための回動部とから主に構成されている。上記の公知例で開示されているパンタグラフ機構は３つの菱形が連続したものであるが、この場合、少なくとも前記のようなアーム部材を８本、及び回動部を１０カ所設ける必要がある。
【００１２】
このようなパンタグラフ機構は、その構成部品であるアーム部材及び回動部を多数設けなければならないため、撓みや摩擦抵抗等が発生し易くなり、伸縮機構自体に無駄な負荷がかかることで動作時の不快音や故障を招くといった問題点が懸念される。
【００１３】
このため、上記伸縮機構の駆動源としてモータを採用する場合は、上記問題点を原因としてモータから伝達される動力の損失が生じることになる。
【００１４】
よって、このような動力損失の補填を図るために、より大きな電力を供給することができる比較的大型のモータを搭載しなければならず、椅子式マッサージ機の省電力化や足載せ部の小型化または軽量化には適さないものとなっていた。
【００１５】
そこで、本発明は、上記問題点を解消する為に成されたものであり、足載せ部の伸縮機構を構成する必要な部品点数を極力抑えることにより、伸縮動作時の摩擦抵抗や負荷を可及的に抑制して、静音性の向上や故障の阻止等を図ると共に、伸縮機構における伸縮駆動をモータで行う場合は、該モータの動力伝達効率を向上させ、椅子式マッサージ機の省電力化や足載せ部の小型化または軽量化に適した椅子式マッサージ機を提供する事を目的とするものである。
【課題を解決するための手段】
【００１６】
すなわち、本発明の椅子式マッサージ機は、座部と該座部の前端において出没可能に連結した支持フレーム体に支持された足載せ部とを有し、該足載せ部に人体脚部の脛部を施療するための脛施療部及び人体脚部の足先を施療するための足先施療部を設けると共に、座部と脛施療部と足先施療部との各間隔を伸縮機構により伸縮可能とした椅子式マッサージ機であって、該椅子式マッサージ機は、前記伸縮機構を、前記支持フレーム体を前記座部の前端で軸支された後部部材と、該後部部材とスライド可能に連結して前記脛施療部を支持する中間部材と、該中間部材とスライド可能に連結して前記足先施療部を支持する前部部材とで構成し、且つ、前記後部部材及び前記前部部材にそれぞれ係合レーンを設けると共に、前記中間部材には前記各係合レーンに係合し得るよう介設されて転動可能な転動係合部材を設けてあるものとしている。
【００１７】
また、本発明の椅子式マッサージ機は、前記係合レーンがラックであり、前記転動係合部材がピニオンである構成にしたものとしている。
【００１８】
さらに、本発明の椅子式マッサージ機は、前記転動係合部材を前記中間部材に設けられたモータの動力により転動させるものとして構成したものとしている。
【００１９】
さらにまた、本発明の椅子式マッサージ機は、前記後部部材に対する中間部材のスライド距離と後部部材に対する前記前部部材のスライド距離との割合を１対２となるよう構成したものとしている。
【発明の効果】
【００２０】
よって、本発明の椅子式マッサージ機は、座部と脛施療部と足先施療部との各間隔を伸縮機構により伸縮可能とした椅子式マッサージ機であって、前記伸縮機構として、前記支持フレーム体を前記座部の前端で軸支された後部部材と、該後部部材とスライド可能に連結して前記脛施療部を支持する中間部材と、該中間部材とスライド可能に連結して前記足先施療部を支持する前部部材とから構成し、且つ後部部材及び前部部材にそれぞれ係合レーンを設けると共にそれら係合レーンに介設係合しつつ転動可能な転動係合部材を中間部材に設けて構成したものとしているため、前記後部部材及び前記前部部材にそれぞれ設けられた前記係合レーンと前記転動係合部材とが相互において直接的に係合しているので、足載せ部の伸縮機構を構成する必要な部品点数を極力抑えることにより、従来の問題であった撓みや摩擦抵抗の発生が抑止され、静音性の向上や故障の阻止等を図ることができる。
【００２１】
また、伸縮機構の駆動源としてのモータから伝達される動力の損失の発生を抑えて椅子式マッサージ機の省力化を図ることができる。
【００２２】
さらに、伸縮機構の構造を可及的にコンパクトに纏まるように構成しているので、椅子式マッサージ機における足載せ部の小型化または軽量化を図ることができる。
【００２３】
また、本発明の椅子式マッサージ機は、前記係合レーンをラックとすると共に前記転動係合部材をピニオンとして構成したものとしているため、ピニオン及びラックにおける確実で正確且つ静穏な係合が実現できる。
【００２４】
さらに、本発明の椅子式マッサージ機は、前記転動係合部材を前記中間部材に設けられたモータの動力により転動させるものとして構成したものとしているため、前記伸縮機構におけるモータの回転動力の伝達効率を従来に比して大幅に向上させた伸縮機構が実現でき、しかも、モータによる回転により転動係合部材は単独で前記後部部材に対する前記中間部材の移動と、中間部材に対する前記前部部材の移動とを同時に行うので、伸縮機構におけるモータの単一化が図れる。
【００２５】
さらに、モータによって転動係合部材が後部部材の前記係合レーン上を移動する時、中間部材は前部部材を伴って移動すると共に前部部材の係合レーンを転動係合部材が移動方向へさらに押し出すことになるので、転動係合部材の回転に対する後部部材に対する前部部材の移動効率を向上させることができる。
【００２６】
さらにまた、本発明の椅子式マッサージ機は、前記後部部材に対する中間部材のスライド距離と後部部材に対する前記前部部材のスライド距離との割合を１対２として構成したものとしているため、使用者の脚部の長さの違いにかかわらず、常時において前記脛施療部及び前記足先施療部におけるそれぞれの的確な施療ポイントで施療を実施することができる。
【発明を実施するための最良の形態】
【００２７】
以下に、本発明の椅子式マッサージ機を、図面に示す一実施形態に基づきこれを詳細に説明する。図１は本発明の椅子式マッサージ機における椅子型の一実施形態を示す斜視図であり、図２は本発明の椅子式マッサージ機における椅子型の一実施形態を示す使用状態図であり、図３は本発明の椅子式マッサージ機における足載せ部の一実施形態を示す右側面簡易構成説明図であり、図４は本発明の椅子式マッサージ機における足載せ部の伸縮動作の一実施形態を示す右側面簡易構成説明図であり、図５は本発明の椅子式マッサージ機における足載せ部が使用者の個人差に対応することを示す一実施形態の説明図である。図６は本発明の椅子式マッサージ機の足載せ部における内部構造の一実施形態を示す右側面説明図であり、図７は本発明の椅子式マッサージ機の足載せ部を伸張した状態における内部構造の一実施形態を示す右側面説明図であり、図８は本発明の椅子式マッサージ機の足載せ部における内部構造の一実施形態を示す正面説明図であり、図９は本発明の椅子式マッサージ機の足載せ部を伸張した状態における内部構造の一実施形態を示す正面説明図である。図１０乃至図１２は従来技術を示す参考図である。
【００２８】
すなわち、本発明の椅子式マッサージ機は図１及び図２の実施例で示したように、座部１１ａと共に、該座部１１ａの後側にリクライニング可能に連結する背凭れ部１２ａと、座部１１ａの前端において前後へ出没可能に連結した足載せ部１３ａとから構成した椅子式マッサージ機１ａである。
【００２９】
更に、前記座部１１ａの両側に肘掛け部１４ａを立設すると共に、前記背凭れ部１２ａの左右両側に前方に向かって突出した側壁部２ａを夫々配設している。
【００３０】
図１に示すように、前記背凭れ部１２ａには、その中央部に左右一対の施療子３１ａを備えた昇降自在の施療子機構３ａを設けている。該施療子機構３ａは、背凭れ部１２ａの内部左右に設けた左右一対のガイドレール３２ａに沿って背凭れ部１２ａの上端から下端にかけて昇降するようにしている。
【００３１】
前記左右一対の施療子３１ａは、モータ等を駆動源とした機械式の椅子式マッサージ機構であり、前記背凭れ部１２ａに凭れた施療者の首部、背部、腰部、臀部等の背面全域を、たたき、揉み、ローリング、振動、指圧などの多様な形態で施療するようにしたものである。
【００３２】
また、前記椅子式マッサージ機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａは前記座部１１ａの下部空間に配備している。
【００３３】
前記空気給排装置４１ａによる各前記膨縮袋４ａの膨縮動作によって、施療者の所定の施療部位を押圧、指圧等を実施する事ができ、一定間隔を存して対向するよう複数の膨縮袋４ａを対設させる場合、挟圧等の施療も行う事ができる。また膨縮袋４ａを膨張状態に保つ場合は、施療者の所定の部位を一定の時間保持する事も可能としている。
【００３４】
また、前記椅子式マッサージ機１ａは、前記背凭れ部１２ａの左右側において、上部及び下部に夫々膨縮袋４ａを設けており、施療者の背中及び腰部を押圧、または左右両側から挟圧するような施療を行うよう構成している。
【００３５】
また、前記座部１１ａには、後部側に臀下部用、また腿部用の膨縮袋４ａを夫々埋設して、主に下方から上方に押圧する施療を行うようにしている。
【００３６】
前記足載せ部１３ａは、人体の脚部である脛部または足先部を夫々嵌入させる左右一対の凹部を夫々形成したものであり、各凹部に膨縮袋４ａを左右一対として対設するよう設けて、凹部内部で人体の脛部及び足先部に対する挟圧施療を実施するようにしている。尚、該足載せ部１３ａの構成については後に詳しく説明する。
【００３７】
前記左右の肘掛け部１４ａの上部には、必要に応じて人体の手や前腕を嵌入保持して施療するための凹部を形成する腕保持部１５ａを設ける事ができる。図１の場合、該腕保持部１５ａの内部において、上下に各膨縮袋４ａを夫々対設するよう設けて、凹部内部で人体の手や前腕に対する挟圧施療を実施するようにしている。
【００３８】
前記左右の側壁部２ａは、座部１１ａに着座した施療者の肩または上腕側方となる位置に配設しており、該左右の側壁部２ａの内側面には夫々左右方向に重合した膨縮袋４ａを並列状態に埋設している。これら重合した膨縮袋４ａ・４ａはその基端部のみを側壁部２ａの基端部に取り付けているため、膨張時には重合した膨縮袋４ａ・４ａが扇状に広がって施療者の身体側部を挟圧しつつ、身体前方まで覆うようになる。
【００３９】
よって、前記左右側壁部２ａの前記膨縮袋４ａは、膨縮動作により身体側部を施療する事ができるだけでなく、一定の時間において膨張状態を保つならば、施療者の身体が前記背凭れ部１２ａから離れないようにしっかりと保持する事ができ、施療者の身体を固定したままの状態で前記施療子機構３ａの前記施療子３１ａによる背部からの施療を効果的に受ける事が可能となるのである。
【００４０】
本発明である前記椅子式マッサージ機１ａの前記足載せ部１３ａについて、以下にさらに詳しく説明すると、図１の実施形態で示したように、上部に人体脛部を施療するための凹部を幅方向左右に夫々設けた脛施療部１３１ａと、該脛施療部１３１ａの下部に位置する人体足先を施療するための凹部を幅方向左右に夫々設けた足先施療部１３２ａとから構成しており、脛施療部１３１ａと足先施療部１３２ａの各凹部内部に、前述のような膨縮袋４ａを左右に対設させている。尚、適宜各凹部底部にも膨縮袋４ａを設ける事ができる。
【００４１】
また、図３に示すように前記足載せ部１３ａは、支持フレーム体５ａによって支持されており、該支持フレーム体５ａは、後部部材５１ａ、中間部材５２ａ、前部部材５３ａによって主に構成している。
【００４２】
前記後部部材５１ａは、その端部と前記座部１１ａの下部にある座部下フレーム１１１ａの前端部とが回動部１３３ａを介して回動可能に前記座部１１ａに連結している。これにより、前述したように前記足載せ部１３ａが座部１１ａに対して上下回動可能となる。
【００４３】
尚、この上下回動は手動及び自動を問わないが、自動とする場合は電動モータを動力源とするアクチュエータ（図示せず）を適用する事ができる。
【００４４】
また、前記中間部材５２ａは脛施療部１３１ａを、また前記前部部材５３ａは足先施療部１３２ａをそれぞれ固定的に支持している。
【００４５】
図３に示すように前記足載せ部１３ａには、前記支持フレーム体５ａの前記後部部材５１ａ、前記中間部材５２ａ、前記前部部材５３ａが、相互に接近したり離間したりするための伸縮機構６ａを設けている。すなわち、該伸縮機構６ａとして後部部材５１ａの下部前面にラックからなる後部部材側の係合レーン６１ａを設けると共に、中間部材５２ａの後面中間においてピニオンからなる転動係合部材６２ａを設け、さらに前部部材５３ａの上部後面にラックからなる前部部材側の係合レーン６３ａを設けて構成しており、転動係合部材６２ａは後部部材側の係合レーン６１ａ及び前部部材側の係合レーン６３ａにそれぞれ噛合している。
【００４６】
図４に示すのは前記足載せ部１３ａを前方へ突出させた状態であるが、前記脛施療部１３１ａまたは前記足先施療部１３２ａに人体の足の長さ方向への力を掛けるか、または前記転動係合部材６２ａを回転させるかすると、前記後部部材側の係合レーン６１ａ上を転動係合部材６２ａが人体の足の長さ方向へ回転して脛施療部１３１ａを伴って移動距離Ｌ１を進む時、脛施療部１３１ａは移動距離Ｌ１と同じ距離である移動距離Ｌ２を人体の足の長さ方向へ移動することになる。
【００４７】
さらに、転動係合部材６２ａが前部部材側の係合レーン６３ａに噛合しているため、足先施療部１３２ａも脛施療部１３１ａの移動に伴って人体の足の長さ方向へ移動することになると共に、転動係合部材６２ａはその回転により前部部材側の係合レーン６３ａを人体の足の長さ方向へ押し出す態様となるので、移動距離Ｌ２に転動係合部材６２ａによる前部部材側の係合レーン６３ａの相対的な人体の足の長さ方向への押し出す距離が加算された移動距離Ｌ３を足先施療部１３２ａは移動することになる。
【００４８】
尚、図面で示す構成は、前記脛施療部１３１ａの移動距離Ｌ２と前記足先施療部１３２ａの移動距離Ｌ３とは１対２の割合となっている。
【００４９】
さらに、図６乃至図９において、前記足載せ部１３ａの前記伸縮機構６ａに関連する具体的な構成を説明する。前記後部部材５１ａは、図６及び図８に示すように上下方向に設けた縦フレーム５１１ａを左右両端にそれぞれ設けると共に、該左右の縦フレーム５１１ａを強固に連結する横フレーム５１２ａを上下方向に複数本並設して成る。
【００５０】
また、前記左右の縦フレーム５１１ａの上端に、前記座部１１ａに対して前記足載せ部１３ａが出没回動するための前記回動部１３３ａがそれぞれ位置する。
【００５１】
前記中間部材５２ａは、図６及び図８に示すように上端に上横フレーム５２１ａを、下端に下横フレーム５２２ａをそれぞれ設けると共に、それら上横フレーム５２１ａ及び下横フレーム５２２ａを上下にて強固に連結する板状の中央板フレーム５２３ａを設けている。
【００５２】
また、前記前部部材５３ａは図６及び図８に示すように、その底部にフレームを環状にした環状底フレーム５３１ａを設けている。
【００５３】
前記後部部材５１ａと前記中間部材５２ａとの間、及び中間部材５２ａと前記前部部材５３ａとの間には、それぞれ左右一対のスライド連結機構５４ａを設けており、後部部材５１ａに対して中間部材５２ａを人体の足の長さ方向にスライド可能に連結すると共に、前部部材５３ａも同様に中間部材５２ａに対してスライド可能に連結している。
【００５４】
図６及び図８に示す構成において、前述の図３に示す構成と同様に前記伸縮機構６ａが設けられている。すなわち、前記後部部材５１ａの下部中央付近において、人体の足の長さ方向に左右一対の前記係合レーン６１ａが一定間隔を存してそれぞれ設けられ、また前記前部部材５３ａに設けた前記環状底フレーム５３１ａの中央後端から前記中間部材５２ａの方向に向かって直立させた左右一対の直立フレーム５３２ａの上部裏面に前記係合レーン６３ａがそれぞれ設けられており、これら係合レーン６１ａと係合レーン６３ａとの間に、前記中間部材５２ａに設けた前記転動係合部材６２ａが噛合介設されている。
【００５５】
さらに、図６及び図８に示す実施形態は、前記伸縮機構６ａにおいて駆動用のモータ６４ａを設けた構成のものであり、該伸縮機構６ａの伸縮を該モータ６４ａで駆動させる。図面の場合は一例として、該モータ６４ａを前記中間部材５２ａの前記中央板フレーム５２３ａの下部に設けたものとしている。
【００５６】
また、前記モータ６４ａの回転を変速伝達する変速機構６５ａを該モータ６４ａに隣設させており、モータ６４ａの回転は該変速機構６５ａを介して前記転動係合部材６２ａに伝達される。
【００５７】
前記モータ６４ａの駆動制御については、使用者が操作を行う操作部（図示せず）からの入力信号、または内蔵記憶されたプログラムによる制御信号を電子回路等の制御手段（図示せず）が処理して行うものとしている。
【００５８】
このように、前記足載せ部１３ａにおいて前記伸縮機構６ａを構成することにより、使用者の所望に応じて、または使用者の脚部の個人差などの身体特徴に応じて、前記脛施療部１３１ａ及び前記足先施療部１３２ａを施療に適切な位置に移動させられる。
【００５９】
例えば、図５に示すように使用者の脚部の長さの違いにかかわらず、前記脛施療部１３１ａ及び前記足先施療部１３２ａにおけるそれぞれの的確な施療ポイントＰが常時保たれることになる。
【００６０】
加えて、前記脛施療部１３１ａ及び前記足先施療部１３２ａの間隔を前記モータ６４ａにより自動的に変化させて、使用者の脛部における施療ポイントを漸進的に変位させつつ、脛部全体を隈無く揉みほぐすようにしてもよい。
【００６１】
さらに、上記の前記足載せ部１３ａにおける前記伸縮機構６ａは、前記モータ６４ａによる前記転動係合部材６２ａの回転がダイレクトに前記後部部材５１ａ側の係合レーン６１ａ及び前記前部部材５３ａ側の係合レーン６３ａにそれぞれ伝達される構成であるので、前記伸縮機構６ａにおけるモータ６４ａの回転動力の伝達効率を向上させることができ、且つ全体的にも該伸縮機構６ａを簡易な構造とし、且つ部品点数が少ない構成とすることができるのである。
【図面の簡単な説明】
【００６２】
【図１】本発明の椅子式マッサージ機における椅子型の一実施形態を示す斜視図である。
【図２】本発明の椅子式マッサージ機における椅子型の一実施形態を示す使用状態図である。
【図３】本発明の椅子式マッサージ機における足載せ部の一実施形態を示す右側面簡易構成説明図である。
【図４】本発明の椅子式マッサージ機における足載せ部の伸縮動作の一実施形態を示す右側面簡易構成説明図である。
【図５】本発明の椅子式マッサージ機における足載せ部が使用者の個人差に対応することを示す一実施形態の説明図である。
【図６】本発明の椅子式マッサージ機の足載せ部における内部構造の一実施形態を示す右側面説明図である。
【図７】本発明の椅子式マッサージ機の足載せ部を伸張した状態における内部構造の一実施形態を示す右側面説明図である。
【図８】本発明の椅子式マッサージ機の足載せ部における内部構造の一実施形態を示す正面説明図である。
【図９】本発明の椅子式マッサージ機の足載せ部を伸張した状態における内部構造の一実施形態を示す正面説明図である。
【図１０】従来技術を示す参考図である。
【図１１】従来技術を示す参考図である。
【図１２】従来技術を示す参考図である。
【符号の説明】
【００６３】
１ａ  椅子式マッサージ機
１１ａ  座部
１１１ａ  座部下フレーム
１２ａ  背凭れ部
１３ａ  足載せ部
１３１ａ  脛施療部
１３２ａ  足先施療部
１３３ａ  回動部
１４ａ  肘掛け部
１５ａ  腕保持部
２ａ  側壁部
３ａ  施療子機構
３１ａ  施療子
３２ａ  ガイドレール
４ａ  膨縮袋
４１ａ  空気給排装置
５ａ  支持フレーム体
５１ａ  後部部材
５１１ａ  縦フレーム
５１２ａ  横フレーム
５２ａ  中間部材
５２１ａ  上横フレーム
５２２ａ  下横フレーム
５２３ａ  中央板フレーム
５３ａ  前部部材
５３１ａ  環状底フレーム
５３２ａ  直立フレーム
５４ａ  スライド連結機構
６ａ  伸縮機構
６１ａ  係合レーン
６２ａ  転動係合部材
６３ａ  係合レーン
６４ａ  モータ
６５ａ  変速機構
Ｌ１  移動距離
Ｌ２  移動距離
Ｌ３  移動距離
Ｐ  施療ポイント
【図１】
2008206719.tif 000003
【図２】
2008206719.tif 000004
【図３】
2008206719.tif 000005
【図４】
2008206719.tif 000006
【図５】
2008206719.tif 000007
【図６】
2008206719.tif 000008
【図７】
2008206719.tif 000009
【図８】
2008206719.tif 000010
【図９】
2008206719.tif 000011
【図１０】
2008206719.tif 000012
【図１１】
2008206719.tif 000013
【図１２】
2008206719.tif 000014